(57)【要約】【課題】撮像装置において、手ぶれの影響の少ない撮像画像を得ると共に、製造コストを抑制する。【解決手段】ユーザによりシャッターボタンが押下されると（Ｓ１でＹＥＳ）、ＤＳＰが撮像ユニットを駆動させ、撮像ユニットにより被写体が撮像されて、第１の撮像画像が生成される（Ｓ２）。上記Ｓ２により第１の撮像画像が撮像された直後、ＤＳＰは、マイクロフォンを駆動させて音声認識処理を開始し（Ｓ３）、マイクロフォンから入力された音声の中から所定の音声が認識されたとき（Ｓ４でＹＥＳ）、撮像ユニットを駆動させると共にフラッシュ装置を用いて光を被写体に照射して、撮像ユニットにより被写体を撮像し、第２の撮像画像を生成する（Ｓ５）。第１の撮像画像に手ぶれが発生した場合でも、第２の撮像画像を撮像しているので、手ぶれの影響の少ない撮像画像を得ることができる。【選択図】図３
2009053560.tif 000002
【特許請求の範囲】
【請求項１】
被写体を撮像して撮像画像を出力する撮像手段と、
前記撮像手段によって出力された撮像画像の合焦点状態を検出する合焦点検出手段と、
音声を入力するための音声入力手段と、
前記音声入力手段によって入力された音声を認識する音声認識手段と、
ユーザにより操作されるシャッターボタンを有する操作手段と、
前記撮像画像を保存するための保存手段と、
装置各部を制御する制御手段とを備える撮像装置において、
前記制御手段は、
前記シャッターボタンが操作されたとき、前記撮像手段を用いて第１の撮像画像を撮像した後、前記音声入力手段を動作させ、
前記音声認識手段を用いて、前記音声入力手段から入力された音声から所定の音節が認識されたとき、前記撮像手段を用いて第２の撮像画像を撮像し、
前記合焦点検出手段を用いて、前記第１の撮像画像と、前記第２の撮像画像の合焦点状態を検出し、この検出の結果、合焦点状態が高い方の撮像画像を前記保存手段に保存することを特徴とする撮像装置。
【請求項２】
前記撮像手段によって出力された撮像画像に含まれる高周波数成分を検出する高周波数成分検出手段をさらに備え、
前記合焦点検出手段は、前記高周波数成分検出手段を用いて、前記撮像画像の高周波数成分を検出することにより、合焦点状態の検出を行うことを特徴とする請求項１に記載の撮像装置。
【請求項３】
前記撮像手段によって撮像された撮像画像を表示する表示手段をさらに備え、
前記制御手段は、
前記合焦点検出手段を用いて、前記第１の撮像画像と、前記第２の撮像画像の合焦点状態のレベルを検出し、
この検出の結果、これらの合焦点状態のレベルがいずれも所定値以下の場合、
前記表示手段に、これらの合焦点状態のレベルがいずれも所定値以下である旨の警告を表示することを特徴とする請求項１又は請求項２に記載の撮像画像。
【請求項４】
設定時間が経過したことを通知するためのタイマー手段をさらに備え、
前記制御手段は、
前記音声入力手段の動作後に、前記タイマー手段を動作させ、該タイマー手段から設定時間が経過した通知を受信するまでに、前記音声認識手段による前記所定の音節を認識することができない場合、前記撮像手段を用いて第３の撮像画像を撮像し、
前記合焦点検出手段を用いて、前記第１の撮像画像と、前記第３の撮像画像の合焦点状態を検出し、この検出の結果、合焦点状態が高い方の撮像画像を前記保存手段に保存することを特徴とする請求項１、又は請求項２に記載の撮像装置。
【請求項５】
前記制御手段は、前記音声認識手段を用いて、前記音声入力手段から入力された音声から所定の音節が認識されたとき、前記撮像手段を用いた撮像速度を前記第１の撮像画像を撮像したときの撮像速度よりも早くすることを特徴とする請求項１、又は請求項２に記載の撮像装置。
【請求項６】
被写体に光を照射するフラッシュ手段をさらに備え、
前記制御手段は、前記音声認識手段を用いて、前記音声入力手段から入力された音声から所定の音節が認識されたとき、前記フラッシュ手段を用いて光を前記被写体に照射するのと同時に、前記撮像手段を用いて該被写体を撮像することを特徴とする請求項５に記載の撮像装置。
【発明の詳細な説明】
【技術分野】
【０００１】
本発明は、撮像装置に関し、特に手ぶれの発生に係わらずユーザ所望の撮像画像を確実に得る技術に関する。
【背景技術】
【０００２】
ユーザが撮像装置を保持しながら被写体を撮像する場合、撮像画像に像ぶれが発生することがある。これは、ユーザの手ぶれ等に起因して撮像中にフィルム面や固体撮像素子の受光領域上に結像する像がぶれる現象により発生するものである。
【０００３】
ユーザによってシャッターボタンが押下される時、撮像装置の本体が上下に動かされることにより撮像画像にぶれを生じるという問題が多く発生している。この問題は、近年、撮像装置の小型化に伴い、発生し易くなっている。特に室内では照明による明かりの輝度が十分でない場合が多いのでシャッタースピードが遅い。また、撮像装置のシャッターボタンは装置上部に設置されていることが多く、このボタンが上下に動作させられる上に、このボタンの上下動作に連動してオートフォーカスが動作する。このため、ユーザによるシャッターボタンの押下が光軸の変化に大きく影響することが多い。
【０００４】
これに対して、特許文献１には、振動ジヤイロ等の角速度検出系を用いて、角速度として手ぶれを検出し、検出したぶれの方向及びぶれ量に基づいて、レンズの光軸を移動させて手ぶれを補正する撮像装置が開示されている。しかし、この撮像装置は、手ぶれにより移動させられた光軸のぶれ量を打ち消すものであり、角速度センサや制御マイコン等の多くの部品、及びレンズの光軸を変化させる機構が必要となるため、撮像装置の製造コストを抑制することができないという問題がある。
【０００５】
また、特許文献２には、連写して撮像された複数の撮像画像の中から最もコントラスト値の高い撮像画像を選出することにより、像ぶれの影響の少ない撮像画像を得ることができる撮像装置が開示されている。しかし、この撮像装置では、２枚目以降の撮像画像の撮像は、ユーザの意思とは関係のないタイミングで行われるため、ユーザにとって所望の撮像画像を得ることができない場合がある。
【０００６】
また、特許文献３には、装置に内蔵されたマイクロフォンによって取り込まれた音声を認識し、予め登録された音声と同一の音声を認識したとき、シャッターを動作させて、撮像することができる撮像装置が開示されている。しかし、この撮像装置では、１００％の音声認識率の実現は困難なため、ユーザが所望のタイミングで確実に撮像を行わせることができないことがある。
【０００７】
また、その他の撮像装置には、イメージセンサの感度を上げてシャッター速度を早くすることにより、手ぶれによる撮像画像のぶれを減少させることができる撮像装置がある。この種の撮像装置は、一般的に、ＥＶ（露出値）＝ＡＶ（絞り値）＋ＴＶ（シャッタースピード）の式で示されるように、ＩＳＯ感度を高くすると露出時間を短縮させることができる。しかし、露出時間を短縮させる場合、イメージセンサの感度を高くしなければ、撮像画像にノイズが増加するという問題がある。また、特許文献４乃至特許文献７にも撮像装置が開示されているが、上記問題を解決できない。
【特許文献１】特開平５−２７６４２９号公報
【特許文献２】特開２００３−２２４７６２号公報
【特許文献３】特開昭５８−１３７８２８号公報
【特許文献４】特開２００５−２５２６６６号公報
【特許文献５】特開２００４−２８９３７６号公報
【特許文献６】特開２００５−３３３５８１号公報
【特許文献７】特開２００３−２９５０４９号公報
【発明の開示】
【発明が解決しようとする課題】
【０００８】
本発明は、上記課題を解決するためになされたものであり、手ぶれの発生に係わらずユーザ所望の撮像画像を確実に得ることができると共に、製造コストを抑制することが可能な撮像装置を提供することを目的とする。
【課題を解決するための手段】
【０００９】
上記目的を達成するために請求項１の発明は、被写体を撮像して撮像画像を出力する撮像手段と、前記撮像手段によって出力された撮像画像の合焦点状態を検出する合焦点検出手段と、音声を入力するための音声入力手段と、前記音声入力手段によって入力された音声を認識する音声認識手段と、ユーザにより操作されるシャッターボタンを有する操作手段と、前記撮像画像を保存するための保存手段と、装置各部を制御する制御手段とを備える撮像装置において、前記制御手段は、前記シャッターボタンが操作されたとき、前記撮像手段を用いて第１の撮像画像を撮像した後、前記音声入力手段を動作させ、前記音声認識手段を用いて、前記音声入力手段から入力された音声から所定の音節が認識されたとき、前記撮像手段を用いて第２の撮像画像を撮像し、前記合焦点検出手段を用いて、前記第１の撮像画像と、前記第２の撮像画像の合焦点状態を検出し、この検出の結果、合焦点状態が高い方の撮像画像を前記保存手段に保存するものである。
【００１０】
請求項２の発明は、請求項１に記載の撮像装置において、前記撮像手段によって出力された撮像画像に含まれる高周波数成分を検出する高周波数成分検出手段をさらに備え、前記合焦点検出手段は、前記高周波数成分検出手段を用いて、前記撮像画像の高周波数成分を検出することにより、合焦点状態の検出を行うものである。
【００１１】
請求項３の発明は、請求項１又は請求項２に記載の撮像画像において、前記撮像手段によって撮像された撮像画像を表示する表示手段をさらに備え、前記制御手段は、前記合焦点検出手段を用いて、前記第１の撮像画像と、前記第２の撮像画像の合焦点状態のレベルを検出し、この検出の結果、これらの合焦点状態のレベルがいずれも所定値以下の場合、前記表示手段に、これらの合焦点状態のレベルがいずれも所定値以下である旨の警告を表示するものである。
【００１２】
請求項４の発明は、請求項１又は請求項２に記載の撮像画像において、設定時間が経過したことを通知するためのタイマー手段をさらに備え、前記制御手段は、前記音声入力手段の動作後に、前記タイマー手段を動作させ、該タイマー手段から設定時間が経過した通知を受信するまでに、前記音声認識手段による前記所定の音節を認識することができない場合、前記撮像手段を用いて第３の撮像画像を撮像し、前記合焦点検出手段を用いて、前記第１の撮像画像と、前記第３の撮像画像の合焦点状態を検出し、この検出の結果、合焦点状態が高い方の撮像画像を前記保存手段に保存するものである。
【００１３】
請求項５の発明は、請求項１又は請求項２に記載の撮像画像において、前記制御手段は、前記音声認識手段を用いて、前記音声入力手段から入力された音声から所定の音節が認識されたとき、前記撮像手段を用いた撮像速度を前記第１の撮像画像を撮像したときの撮像速度よりも早くするものである。
【００１４】
請求項６の発明は、請求項５に記載の撮像画像において、被写体に光を照射するフラッシュ手段をさらに備え、前記制御手段は、前記音声認識手段を用いて、前記音声入力手段から入力された音声から所定の音節が認識されたとき、前記フラッシュ手段を用いて光を前記被写体に照射するのと同時に、前記撮像手段を用いて該被写体を撮像するものである。
【発明の効果】
【００１５】
請求項１の発明によれば、制御手段は、シャッターボタンが操作されたとき、第１の撮像画像を撮像する。その後、所定の音節が認識されたとき、第２の撮像画像を撮像する。そのため、第１の撮像画像に手ぶれによる像ぶれが発生した場合であっても、第２の撮像画像を撮像しているので、手ぶれの発生に係わらずユーザ所望の撮像画像を確実に得ることができる。また、従来の撮像装置と異なり、傾き検出センサ等の特殊な部材等を用いることがないので、製造コストを抑制することができる。また、所定の音節が認識されたとき、第２の撮像画像を撮像するので、ユーザによって所望のタイミングで撮像画像を得ることができる。
【００１６】
請求項４の発明によれば、制御手段は、タイマー手段から設定時間が経過した通知を受信するまでに、所定の音節を認識することができない場合、第３の撮像画像を撮像する。これにより、音節の認識が正しく行われない場合であっても動作エラーとなることなく撮像画像を確実に得ることができる。また、第１の撮像画像に手ぶれによる像ぶれが発生した場合であっても、さらに手ぶれの影響の少ない撮像画像を確実に得ることができる。
【００１７】
請求項５の発明によれば、制御手段は、所定の音節が認識されたとき、撮像手段を用いた撮像速度を早くする。撮像速度が早いと、像ぶれが発生しにくいので、手ぶれの影響の少ない撮像画像を確実に得ることができる。
【発明を実施するための最良の形態】
【００１８】
以下、本発明の第１の実施形態に係る撮像装置について、図１及び図２を参照して説明する。図１（ａ）は、撮像装置１の正面を示し、図１（ｂ）は、撮像装置１の背面を示し、図２は、撮像装置１の内部構成を示すブロック図である。撮像装置１は、被写体を撮像するための撮像ユニット（撮像手段）２と、撮像装置１を操作するためのボタン等を有する操作部（操作手段）３と、夜間や室内で撮像を行うことができるように被写体に光を照射するフラッシュ装置（フラッシュ手段）４と、音声を入力するためのマイクロフォン（音声入力手段）５と、撮像した画像や各種のメッセージを表示するためのＬＣＤ（表示手段）６と、撮像が行われたことをユーザに通知するためのインジケータ７と、音声を出力するためのスピーカ８と、装置各部を制御するための制御用マイコンであるＤＳＰ（Ｄｉｇｉｔａｌ  Ｓｉｇｎａｌ  Ｐｒｏｃｅｓｓｏｒ；請求項における制御手段）９１とを備える。
【００１９】
また、撮像装置１は、シャッター２３を動作させるためのシャッタースイッチ（シャッターＳＷ）９２と、実行プログラム等を一時的に記録するための内蔵メモリ９３と、撮像した撮像画像や各種データを保存するためのメモリ（保存手段）９４と、設定時間が経過したことをＤＳＰ９１に通知するためのタイマー（タイマー手段）９５とをさらに備える。
【００２０】
撮像ユニット２は、ＣＣＤ（Ｃｈａｒｇｅ  Ｃｏｕｐｌｅｄ  Ｄｅｖｉｃｅ）により構成され、被写体からの光を像面に受光して電気信号に変換するイメージセンサ２４と、
被写体からの光の焦点をイメージセンサ２４の像面に合わせるレンズ２１と、シャッター２３と、シャッターＳＷ９２の指示に基づいて、シャッター２３の開閉動作を制御するためのシャッター駆動部２２とを有する。イメージセンサ２４によって得られた撮像画像のデータはＤＳＰ９１に出力される。なお、イメージセンサ２４は、ＣＣＤから構成されている場合に限られず、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）から構成されているものであってもよい。
【００２１】
操作部３は、撮像装置１の上部に設けられたシャッターボタン３１と、撮像装置１の背面に設けられ、各種操作を行うための操作ボタン３２とを有する。
【００２２】
ＤＳＰ９１は、請求項における合焦点検出手段、音声認識手段、及び高周波数成分検出手段として機能する。また、ＤＳＰ９１は、撮像ユニット２から画像データを受信し、この画像データに対して、輝度・色差信号処理等の各種画像信号処理を行い、これらの処理後の画像データをＬＣＤ６へ出力したり、メモリ９４に保存したりする。
【００２３】
ＤＳＰ９１は、シャッターモードと、音声併用シャッターモードと、動画モードで動作する。シャッターモードは、シャッターボタン３１が押下されると撮像を１回行うモードである。音声併用シャッターモードは、シャッターボタン３１が押下されると、第１の撮像画像を撮像した後に、第２の撮像画像を撮像するモードである。詳細については後述する。動画モードは、マイクロフォン５を用いて音声を取得すると共に、取得した音声と撮像画像とをメモリ９４に保存するモードである。
【００２４】
レンズ２１を通ってイメージセンサ２４に投影された光学像はイメージセンサ２４で画像信号に変換される。ＤＳＰ９１が、シャッターモード、又は音声併用シャッターモードで動作している場合、イメージセンサ２４によって変換された画像信号は、ＤＳＰ９１で処理されて、ＬＣＤ６に表示されたり、メモリ９４に保存されたりする。一方、ＤＳＰ９１が、動画モードで動作している場合、マイクロフォン５から音声信号が取り込まれ、取り込まれた音声は、ＤＳＰ９１によってデジタル信号に変換される。そして、この音声信号はイメージセンサ２４によって変換された画像信号と共にメモリ９４に保存される。
【００２５】
次に、ＤＳＰ９１が音声併用シャッターモードで動作している場合における撮像処理の手順について、図３及び図４に示すフローチャートを参照して説明する。ユーザによりシャッターボタン３１が押下されると（Ｓ１でＹＥＳ）、ＤＳＰ９１が撮像ユニット２を駆動させ、撮像ユニット２により被写体が撮像されて、第１の撮像画像が生成される（Ｓ２）。
【００２６】
上記Ｓ２により第１の撮像画像が撮像された直後、ＤＳＰ９１は、マイクロフォン５を駆動させて音声認識処理を開始し（Ｓ３）、マイクロフォン５から入力された音声の中から所定の音声（請求項における音節）が認識されたとき（Ｓ４でＹＥＳ）、撮像ユニット２を駆動させると共にフラッシュ装置４を用いて光を被写体に照射して、撮像ユニット２により被写体を撮像し、第２の撮像画像を生成する（Ｓ５）。その直後、ＤＳＰ９１は、インジケータ７を点灯させ（Ｓ６）、マイクロフォン５の駆動を終了させ、音声認識処理を終了させる（Ｓ７）。上記Ｓ５では、フラッシュ装置４を用いて撮像を行うので、撮像速度は、第１の撮像画像を撮像したときよりも早く設定される。なお、上記Ｓ３の処理における音声認識処理の詳細については後述する。
【００２７】
ところで、ＤＳＰ９１は、上記Ｓ２により第１の撮像画像が撮像された直後、上記Ｓ３以降の処理と平行して、第１の撮像画像のコントラスト値の演算を行い（Ｓ９）、求められたコントラスト値が所定値以上か否かの判定処理を行う（Ｓ１０）。この判定の結果、コントラスト値が所定値以上のとき（Ｓ１１でＹＥＳ）、ＤＳＰ９１は、第１の撮像画像をメモリ９４に保存し、上記Ｓ３以降の処理を中止して、本処理を終了する。上記Ｓ１０におけるコントラスト値の判定は、コントラスト値に基づく撮像画像の合焦点状態のレベルの判定を行うものであり、詳細については後述する。
【００２８】
一方、上記Ｓ１０の判定処理の結果、第１の撮像画像のコントラスト値が所定値以上ではない場合（Ｓ１１でＮＯ）、図４のＳ１３以降の処理を行う。
【００２９】
上記Ｓ７の音声認識終了処理の後、ＤＳＰ９１は、撮像した第２の撮像画像のコントラスト値の演算を行い（Ｓ８）、第１の撮像画像のコントラスト値と、第２の撮像画像のコントラスト値が、所定値以上であるか否かの判定処理を行う（Ｓ１３）。上記Ｓ１３の結果、第１の撮像画像のコントラスト値と、第２の撮像画像のコントラスト値とのいずれかが、所定値以上の場合（Ｓ１４でＹＥＳ）、第１の撮像画像のコントラスト値と、第２の撮像画像のコントラスト値とを比較する処理を行う（Ｓ１６）。一方、上記Ｓ１３の判定結果の結果、第１の撮像画像のコントラスト値と、第２の撮像画像のコントラスト値のいずれのコントラスト値も所定値以上でない場合（Ｓ１４でＮＯ）、ＤＳＰ９１は、ＬＣＤ６に、第１の撮像画像、及び第２の撮像画像の合焦点状態が所定レベル以下である、つまり、撮像画像に像ぶれが発生している旨の警告メッセージを表示した後（Ｓ１５）、上記Ｓ１６の処理を行う。
【００３０】
上記Ｓ１６の比較処理の結果、第１の撮像画像のコントラスト値が、第２の撮像画像のコントラスト値よりも高い場合（Ｓ１７でＹＥＳ）、ＤＳＰ９１は、第１の撮像画像をメモリ９４に記録させ（Ｓ１８）、本処理を終了する。一方、第１の撮像画像のコントラスト値が、第２の撮像画像のコントラスト値よりも高くない場合（Ｓ１７でＮＯ）、ＤＳＰ９１は、第２の撮像画像をメモリ９４に記録させ（Ｓ１９）、本処理を終了する。
【００３１】
次に、上記Ｓ３における音声認識処理の詳細について、図５に示すフローチャートを参照して説明する。ここでは、ＤＳＰ９１によってマイクロフォン５が駆動されているものとし、メモリ９４には、予め、「チーズ」、「ハイ」、「スタート」等の簡単で判別しやすい数種の音声のモデルデータが記録されているものとする。
【００３２】
まず、マイクロフォン５から音声が入力されると（Ｓ２１）、ＤＳＰ９１は、入力された音声をＡＤ変換して、ディジタル信号形式の音声の入力データを取得する（Ｓ２２）。そして、メモリ９４から、音声のモデルデータを取得し（Ｓ２３）、取得した音声のモデルデータと、音声の入力データとを比較し（Ｓ２４）、これらが一致した場合（Ｓ２５でＹＥＳ）、ユーザにより音声で指示された内容を認識するための認識演算処理を行い（Ｓ２６）、所定の音声を認識したか否かを判定する（Ｓ２７）。一方、音声データが一致しない場合（Ｓ２５でＮＯ）、上記Ｓ２６以降の処理は行わない。
【００３３】
なお、上記Ｓ２４の比較処理、及び上記Ｓ２６の認識処理では、音声データの差異の許容範囲を大きくもたせておき、上記Ｓ２１においてユーザにより入力された音声のイントネーションや多少の発音の違いがあっても問題なく音声を認識できるようにする。また、方言等により、音声の入力データが音声のモデルデータと大きく異なる場合は、方言等に適応する音声のモデルデータをメモリ９４に記録させることができる。
【００３４】
次に、上記図３及び図４に示した撮像画像のコントラスト値の判定処理の詳細について、図６を参照して説明する。図６（ａ）は、撮像画像Ｐの説明図であり、図６（ｂ）は高周波数成分フィルタによって取り出された、第１の撮像画像の高周波数成分Ｆ１（以下、高周波数成分Ｆ１という）と、第２の撮像画像の高周波数成分Ｆ２（以下、高周波数成分Ｆ２という）とを示す。
【００３５】
図６（ａ）に示すように、撮像画像Ｐから高周波数成分を取り出すとき、ＤＳＰ１は、撮像画像Ｐのうちの一部分、例えば、撮像画像Ｐの中央部分の高周波数成分抽出範囲Ｐ１に対して高周波数成分の取り出しを行う。
【００３６】
図６（ｂ）は、高周波数成分Ｆ１と、高周波数成分Ｆ２とを示す。図６（ｂ）に示すように、高周波数成分Ｆ１及び高周波数成分Ｆ２に対して、帯域通過フィルタ（ＢＰＦ）を用いて高周波数成分を取り出すと、第１の撮像画像では、レベル１以下の成分しかなく、第２の撮像画像では、レベル１以上の成分が存在したとする。
【００３７】
高周波数成分Ｆ１、及び高周波数成分Ｆ２がこのような状態のとき、レベル１を上記Ｓ１４の処理における所定のコントラスト値とすると、ＤＰＳ９１は、第１の撮像画像は、ピントが合っていない状態であり、第２の撮像画像は、ピントが合っている状態である可能性が高いと判定する（上記Ｓ１４の処理に相当）。また、ＤＳＰ９１は、高周波数成分Ｆ２の方が高周波数成分Ｆ１よりもコントラスト値が高いと判断するので（上記Ｓ１７でＮＯに相当）、第２の撮像画像をメモリ９４に保存させる（上記Ｓ１９に相当）。
【００３８】
上述したように、本実施形態に係る撮像装置１によれば、ＤＳＰ９１は、シャッターボタン３１が操作されたとき、第１の撮像画像を撮像する。その後、所定の音声が認識されたとき、第２の撮像画像を撮像する。そのため、第１の撮像画像に手ぶれによる像ぶれが発生した場合であっても、第２の撮像画像を撮像しているので、手ぶれの発生に係わらずユーザ所望の撮像画像を確実に得ることができる。また、ＤＳＰ９１は、所定の音声が認識されたとき、第２の撮像画像を撮像するので、ユーザによって所望のタイミングで第２の撮像画像を得ることができる。
【００３９】
また、ＤＳＰ９１は、所定の音声が認識されたとき、フラッシュ装置４を駆動させることにより、被写体に光を照射させるので、第１の撮像画像を撮像したときよりも撮像速度を早く設定する。そのため、撮像速度が早いと像ぶれが発生しにくいので、手ぶれの影響の少ない撮像画像を得ることができる。なお、第２の撮像画像の撮影時、フラッシュ装置４を駆動させ、撮像速度を早く設定したが、撮像速度を早くすることで手ぶれによる像ぶれを抑えることができるため、フラッシュ装置４を駆動させることなく、絞りを開放気味にして撮像速度を早く設定しても構わない。
【００４０】
また、所定の音声を認識したときに撮像を行う処理は、従来の撮像装置が備える部品を用いて行うことができる。そのため、傾き検出センサ等の特殊な部材等を用いることなしに、撮像装置１を動作させるプログラムを、従来のプログラムから改変させるだけでよいため、撮像装置１の製造コストを抑制することができる。
【００４１】
次に、本発明の第２の実施形態に係る撮像装置１について、図を参照して説明する。第２の実施形態に係る撮像装置１は、第１の実施形態に係る撮像装置１とほぼ同様の構成であり、構成についての説明は省略する。
【００４２】
撮像装置１のＤＳＰ９１が音声併用シャッターモードで動作している場合における撮像処理の手順について、図７及び図８に示すフローチャートを参照して説明する。なお、各図において、同一の符号を付した処理は、第１の実施形態の撮像装置１と同様の処理であることを示し、その説明は省略する。また、音声認識処理、及び撮像画像のコントラスト値の判定処理は第１の実施形態に示した処理と同様であり、説明は省略する。
【００４３】
ＤＳＰ９１は、上記Ｓ３による音声認識処理を開始した直後、タイマー９５を動作させる（Ｓ３１）。なお、タイマー９５の設定時間は予め設定されているものとする。そして、ＤＳＰ９１は、タイマー９５から設定時間が経過した通知を受信した場合（Ｓ３２でＹＥＳ）、撮像ユニット２を駆動させると共にフラッシュ装置４を用いて光を被写体に照射して、撮像ユニット２により被写体を撮像し、第３の撮像画像を生成する（Ｓ４１）。その直後、ＤＳＰ９１は、インジケータ７を点灯させ（Ｓ４２）、マイクロフォン５の駆動を終了させ、音声認識処理を終了させる（Ｓ４３）。一方、タイマー９５から設定時間が経過した通知を受信していない場合（Ｓ３２でＮＯ）、ＤＳＰ９１は、マイクロフォン５から入力された音声の中から所定の音声（音節）が認識されたとき（Ｓ３３でＹＥＳ）、上記Ｓ５以降の処理を行う。ＤＳＰ９１は、マイクロフォン５から入力された音声の中から所定の音声が認識されていないとき（Ｓ３３でＮＯ）、上記Ｓ３２とＳ３３の処理を繰り返す。
【００４４】
ところで、ＤＳＰ９１は、Ｓ１０の判定処理の結果、第１の撮像画像のコントラスト値が所定値以上でないとき（Ｓ１１でＮＯ）、タイマー９５の設定時間内に所定の音声を認識している場合（Ｓ３３でＹＥＳ）、Ｓ５以降の処理を行う。一方、タイマー９５の設定時間内に所定の音声を認識することができなかった場合（Ｓ３２でＹＥＳ）、図８のＳ４１以降の処理を行う。
【００４５】
上記Ｓ４３の音声認識終了処理の後、ＤＳＰ９１は、撮像した第３の撮像画像のコントラスト値の演算を行い（Ｓ４４）、第１の撮像画像のコントラスト値と、第３の撮像画像のコントラスト値とが、所定値以上であるか否かの判定処理を行う（Ｓ４５）。上記Ｓ４５の結果、第１の撮像画像のコントラスト値と、第３の撮像画像のコントラスト値とのいずれかが、所定値以上の場合（Ｓ４６でＹＥＳ）、第１の撮像画像のコントラスト値と、第３の撮像画像のコントラスト値とを比較する処理を行う（Ｓ４８）。一方、上記Ｓ４５の判定結果の結果、第１の撮像画像のコントラスト値と、第３の撮像画像のコントラスト値とのいずれかのコントラスト値も所定値以上でない場合（Ｓ４６でＮＯ）、ＤＳＰ９１は、ＬＣＤ６に、第１の撮像画像、及び第３の撮像画像の合焦点状態が所定レベル以下である、つまり、撮像画像に像ぶれが発生している旨の警告メッセージを表示した後（Ｓ４７）、上記Ｓ４８の処理を行う。
【００４６】
上記Ｓ４８の比較処理の結果、第１の撮像画像のコントラスト値が、第３の撮像画像のコントラスト値よりも高い場合（Ｓ４９でＹＥＳ）、ＤＳＰ９１は、第１の撮像画像をメモリ９４に保存させ（Ｓ５０）、本処理を終了する。一方、第１の撮像画像のコントラスト値が、第３の撮像画像のコントラスト値よりも高くない場合（Ｓ４９でＮＯ）、ＤＳＰ９１は、第３の撮像画像をメモリ９４に保存させ（Ｓ５１）、本処理を終了する。
【００４７】
上記のように、本実施形態に係る撮像装置１によれば、第１の実施形態に係る撮像装置１と同様の効果を得ることができる。
【００４８】
また、撮像装置１によれば、ＤＳＰ９１は、タイマー９５から設定時間が経過した通知を受信するまでに、所定の音声を認識することができない場合、第３の撮像画像を撮像する。これにより、音節の認識が正しく行われない場合であっても動作エラーとなることなく撮像画像を得ることができる。また、第１の撮像画像に手ぶれによる像ぶれが発生した場合であっても、第３の撮像画像を撮像しているので、手ぶれの影響の少ない撮像画像を得ることができる。
【００４９】
なお、本発明は、上記各実施形態の構成に限定されるものではなく、発明の趣旨を変更しない範囲で種々の変更が可能である。例えば、上記Ｓ１５、及び上記Ｓ４７の処理において、警告メッセージをＬＣＤ６に表示することによりユーザに警告を報知しているが、これに限られず、スピーカを用いて、ユーザに警告を報知してもよい。また、上記第２の実施形態において、タイマー９５を動作させ、タイマー９５で設定された時間内に所定の音声が認識されていないとき、第３の撮像画像を撮像したが、強制的に音声認識動作を停止させ、タイマーのみにより第３の撮像画像を得るモードを有してもよい。
【図面の簡単な説明】
【００５０】
【図１】（ａ）と（ｂ）とは、本発明の第１の実施形態に係る撮像装置の正面図と背面図。
【図２】上記撮像装置の内部構成を示すブロック図。
【図３】上記撮像装置における撮像処理を示すフローチャート。
【図４】上記撮像装置における撮像処理を示すフローチャート。
【図５】上記撮像処理における音声認識処理の詳細を示すフローチャート。
【図６】（ａ）は、上記撮像装置によって撮像された撮像画像の説明図。（ｂ）は、撮像画像の高周波数成分を示すグラフ。
【図７】本発明の第２の実施形態に係る撮像装置における撮像処理を示すフローチャート。
【図８】上記撮像装置における撮像処理を示すフローチャート。
【符号の説明】
【００５１】
１  撮像装置
２  撮像ユニット（撮像手段）
３  操作部（操作手段）
４  フラッシュ装置（フラッシュ手段）
５  マイクロフォン（音声入力手段）
６  ＬＣＤ（表示手段）
３１  シャッターボタン
９１  ＤＳＰ（合焦点検出手段、高周波数成分検出手段、音声認識手段、制御手段）
９４  メモリ（保存手段）
９５  タイマー（タイマー手段）
【図１】
2009053560.tif 000003
【図２】
2009053560.tif 000004
【図３】
2009053560.tif 000005
【図４】
2009053560.tif 000006
【図５】
2009053560.tif 000007
【図７】
2009053560.tif 000008
【図８】
2009053560.tif 000009
【図６】
2009053560.tif 000010